【手続補正書】
【提出日】平成21年11月17日(2009.11.17)
【手続補正１】
【補正対象書類名】明細書
【補正対象項目名】全文
【補正方法】変更
【補正の内容】
【書類名】          明細書
【発明の名称】      肌色とヘアカラー及びポイントメーキャップのカラーバランスに基づく美容方法
【特許請求の範囲】
【請求項１】肌色、ヘアカラー及び口紅について代表的な複数の色を選定し、該色の組合せによる写真を作成して複数の判定者の判定結果に基づいて、先ず肌色とヘアカラーのカラーバランスのルールを作成し、次に該肌色とヘアカラーのルールに基づいた肌色とヘアカラーの組合せに対する口紅による変化を、肌色、ヘアカラー及び口紅の色の組合せによる写真を作成して複数の判定者の判定結果に基づいて判定し、口紅による変化をなじみバランスと際立ちバランスの関係ルールとして作成したことを特徴とする肌色とヘアカラー及びポイントメーキャップのカラーバランスに基づく美容方法。
【請求項２】眉の色を、ヘアカラーと同系統に色として組み合わせるようにしたことを特徴とする請求項１記載の美容方法。
【請求項３】肌色を、色白ピンク肌、色白黄み肌、普通肌、ブロンズ肌の４色としたことを特徴とする請求項１又は２記載の美容方法。
【請求項４】ヘアカラーを、イエロー系とレッド系の明るめトーン、中間トーン、暗めトーン及び自然色の７色としたことを特徴とする請求項１又は２記載の美容方法。
【請求項５】口紅の色をペールからダークまでの黄み系６色と青み系６色の合計１２色としたことを特徴とする請求項１又は２記載の美容方法。
【請求項６】眉の色をヘアカラーと同系統の中間トーンに合わせるようにしたことを特徴とする請求項２記載の美容方法。
【請求項７】イエロー系のヘアカラーには黄み系の口紅のカラーバランスとし、レッド系のヘアカラーの場合は色白肌には青み系の口紅を、普通肌及びブロンズ肌には黄み系の口紅のカラーバランスとするようにしたことを特徴とする請求項１記載の美容方法。
【請求項８】肌色に合わせてソフトな口紅の色選びを行い、口紅を肌色になじませたカラーバランスとしたことを特徴とする請求項７記載の美容方法。
【請求項９】肌色にコントラストを与える口紅の色選びを行い、口紅を肌色から際立たせたカラーバランスとしたことを特徴とする請求項７記載の美容方法。
【発明の詳細な説明】
【０００１】
【発明の属する分野】
この発明は、肌色とヘアカラー若しくはポイントメーキャップのカラーバランスを検証し、特定の肌色に似合うヘアカラー或はポイントメーキャップのカラーを選定する美容方法に関する。
【０００２】
【従来の技術】
最近、毛髪を自分の好みの色に染めておしゃれを楽しむ人が増加しており、ヘアカラーの普及率は８０％を超えている。ヘアカラーのバリエーションも、図２に示すように非常に多くの色彩にまたがっている。この様にヘアカラーを変えておしゃれを楽しんでいる人は増えているが、ヘアカラーとポイントメーキャップのカラーバランスが似合っていない場合がある。実際に、ヘアカラーをしたら肌の見え方が変わった、ヘアカラーをしたら口紅の色を変えたくなった、等の声が挙げられている。従来においては、ヘアカラーと肌色、ポイントメーキャップの色のカラーバランスは、経験と感性によって似合う、似合わないの判断を行っていた。
【０００３】
従来の経験と感性によるヘアカラーと肌色、ポイントメーキャップのカラーバランスの判断では、判断が主観的となり経験や感性の度合いによって判断が異なり、客観的な判断を行うことが出来なかった。従って、店頭での顧客に対するカウンセリングやセルフ商品の情報提供、教育等に使用可能な客観的なルールに基づいた情報提供や教育を行うことは不可能であった。
【０００４】
【発明が解決しようとする課題】
この発明は、従来の経験や感性に基づく判断の中から客観的に使用できる判断のルールを見つけ出し、該ルールに基づいて肌色、ヘアカラー及びポイントメーキャップのカラーバランスを取ることが出来るようにせんとするものである。
【０００５】
【課題を解決するための手段】
上記課題を解決するためにこの発明が採った手段は、肌色、ヘアカラー及び口紅について代表的な複数の色を選定し、該色の組合せによる写真を作成して複数の判定者の判定結果に基づいて、先ず肌色とヘアカラーのカラーバランスのルールを作成し、次に該肌色とヘアカラーのルールに基づいた肌色とヘアカラーの組合せに対する口紅による変化を、肌色、ヘアカラー及び口紅の色の組合せによる写真を作成して複数の判定者の判定結果に基づいて判定し、口紅による変化をなじみバランスと際立ちバランスの関係ルールとして作成したことを特徴とする。
【０００６】
眉の色を、ヘアカラーと同系統に色として組み合わせるようにしたことを特徴とする。
【０００７】
肌色を、色白ピンク肌、色白黄み肌、普通肌、ブロンズ肌の４色とし、ヘアカラーを、イエロー系とレッド系の明るめトーン、中間トーン、暗めトーン及び自然色の７色とし、口紅の色をペールからダークまでの黄み系６色と青み系６色の合計１２色とし、眉の色をヘアカラーと同系統の中間トーンに合わせるようにしたことを特徴とする。
【０００８】
イエロー系のヘアカラーには黄み系の口紅のカラーバランスとし、レッド系のヘアカラーの場合は色白肌には青み系の口紅を、普通肌及びブロンズ肌には黄み系の口紅のカラーバランスとするようにしたことを特徴とする。
【０００９】
肌色に合わせてソフトな口紅の色選びを行い、口紅を肌色になじませたカラーバランスとしたことを特徴とする。
【００１０】
肌色にコントラストを与える口紅の色選びを行い、口紅を肌色から際立たせたカラーバランスとしたことを特徴とする。
【００１１】
【発明の実施の形態】
この発明の好ましい実施の形態を、以下に詳細に説明する。この発明は、肌色とヘアカラーのカラーバランスを検証し、更に肌色とヘアカラー及びポイントメーキャップのカラーバランスを検証して、肌色、ヘアカラー及びポイントメーキャップの３つの要素の間におけるカラーバランスのルールを探り、肌色に対するヘアカラー及びポイントメーキャップの似合う色の客観的な選定、判断を可能とする美容方法である。カラーバランスの判断のためのルールは、先ず肌色とヘアカラー及び眉、口紅の色を選定した。肌色は、代表的な４つの肌色を選定した。ヘアカラーは代表的な人気色７色を選定した。眉の色はヘアカラーと同系統の色を選択した。口紅は、ペールからダークまでの黄み系６色と青み系６色の１２色を選定した。これらの色は代表的な色として選定したが、見出されたカラーバランス判断のルールはこれらの色に限定されない普遍的なルールとして使用することが可能であった。
【００１２】
ルールの選定は、先ず肌色とヘアカラーについて、色を異ならせた組合せの写真を作成して複数の判定者へのアンケートに基づくカラーバランスの判定を行って、ヘアカラーと肌色の関係を表すルールを見出した。次に、眉の色についてカラーバランスの判断を同様にして行った。最後に、前記見出された肌色とヘアカラーの似合うカラーバランスと似合わないカラーバランスの場合において、口紅の色による変化をそれぞれの場合の色の組合せについて写真を作成し、前記と同様に複数の判定者へのアンケートにより変化の度合いを判断し、肌色とヘアカラーに対する口紅のなじみバランスと際立ちバランスの関係ルールを見出した。そして、これらのヘアカラーと肌色の関係ルールと口紅による関係ルールとによって、特定の顧客のヘアカラーの似合い性或は、口紅による変化の似合い性を客観的に判定したり、その判定のための情報を提供したり、或は判定のための客観的なルールの教育を可能とする。
【００１３】
【実施例】
図面を参照しつつこの発明の実施例を詳細に説明する。肌色とヘアカラーとの相性及び肌色とヘアカラー、ポイントメーキャップの相性の検証は、写真判定によるアンケートの実施によって行った。判定者は美容技術者と通常の女性事務職者４０名とし、単一のモデルで且単一のヘアスタイルの顔の写真をコンピュータグラフィック処理（ＣＧ処理）して、肌色、ヘアカラー、ポイントメーキャップの色をそれぞれ変化させた写真を使用した。これは顔立ちの印象や表情、ヘアスタイルによって判定結果が影響を受けないようにするためである。ＣＧ処理した肌、ヘアカラー及びポイントメーキャップのそれぞれの色は、以下に説明する方法で代表的な色を選定し、それぞれの色を組み合わせてＣＧ処理し、肌色とヘアカラー或は肌色とヘアカラー及びポイントメーキャップの色の組合せからなる複数の写真を作成し、前記判定者へのアンケートに使用した。
【００１４】
肌色は、図１に丸で囲った代表的な４つの肌色、色白ピンク肌、色白黄み肌、普通肌及びブロンズ肌の４色を選定した。色白ピンク肌はピンク系、ピンクオークル系の色を含んでおり、色白黄み肌は明るいオークルやベージュオークルを含んでいる。ヘアカラーは、図２のヘアカラー色調マップから７色を選定した。ヘアカラーは、最近アッシュ系（ブルーグレー）、マット系（グリーン）などの色も用いられているがこれらはいずれも特殊な色であり、一般的にはイエロー系からレッド系の色に人気があり、この範囲にはオレンジ系やカッパー系（コッパーやブロンズ）も含まれている。そこで、人気色の代表としてイエロー系とレッド系の明るめのトーン、中間トーン及び暗めのトーンの計６色に自然色を加えた７色を選定した。また、ポイントメーキャップについては、眉と口紅についてのみ検証を行った。口紅の色は、ペール、モデレート及びダークの３種のトーンと、鮮やか及びくすんだの２種の彩度の組合せで黄み系６色、青み系６色の合計１２色を選定した。
【００１５】
まずヘアカラーと肌色との関係について、前記設定した４色の肌色毎に前記設定した７色のヘアカラーを組み合わせて２８枚の写真を作成し、写真毎にアンケート事項リスト１に基づいて、前記４０名の判定者に対しアンケートによる検証を行った。１枚の写真には、図３に示すように同一の肌色でヘアカラーを異ならせた７種類の写真をＣＧ処理して同一面に並べて対比観察を可能とした。更に、図４に示すようにヘアカラーを同一として肌色を異ならせた４面の写真を同一面に並べて対比観察可能とする写真を作成し、アンケート事項リスト２に基づいて同様にアンケートを実施した。図３と図４に示す写真を組み合わせてアンケートを実施することにより、肌色とヘアカラーの関係をより正確に把握することが出来た。
【００１６】
【アンケート事項リスト１】
１．一番似合うと思われるのは。また、その理由をお答え下さい。
２．一番似合わないと思われるのは。また、その理由をお答え下さい。
３．生き生き見えるのは。（活発、元気、動的）
４．落ち着いて見えるのは。（穏やか、おとなしい、静的）
５．派手と思われるの。
６．地味と思われるのは。
７．やさしいと思われるのは。
８．きついと思われるのは。
９．上品（知的）と思われるのは。
10．上品に見えないのは。
11．個性的なのは。
12．一番好きなのは。
13．一番嫌いなのは。
14．その他
【００１７】
【アンケート事項リスト２】
１．一番似合うと思われるのは。また、その理由をお答え下さい。
２．一番似合わないと思われるのは。また、その理由をお答え下さい。
３．髪が明るく（軽く）見えるのは。
４．髪が暗く（重く）見えるのは。
５．一番好きなのは。
６．一番嫌いなのは。
【００１８】
図５はアンケートの結果を示し、似合う、似合わないについて明確な傾向が示されていた。すなわち、色白の肌には、レッド系のヘアカラーが似合うと判断され、中でもレッド系の暗めトーンのヘアカラーが最も似合っていると判断された。普通肌とブロンズ肌は、イエロー系のヘアカラーが似合うと判断され、特に中間トーンが似合うという結果になった。逆に似合わないと判断されたのは、ブロンズ系の一例を除いては、イエロー系もレッド系も明るめのヘアカラーが似合わないと判断された。特に、色白ピンク肌とイエロー系のへカラー、及びブロンズ肌とレッド系のヘアカラーは、１００％の判定者が似合わないと判断されている。似合わない理由としては、ぼやける、くすむ、眉がういて見える、派手、品がない、等が挙げられており、肌とヘアカラーのカラーバランスが合っていないためと考えられる。肌とヘアカラーのカラーバランスは、ポイントメーキャップの色を選択することにより似合う方向を探ることが可能であり、このことは美容技術者に知られていることである。
【００１９】
そこで、先ず眉の色を変化させてカラーバランスを整えることにした。明るいヘアカラーを行った場合、日本人の自然色の眉は肌とのコントラストが目立ってしまう。そこで、眉がういていると判断された肌色とヘアカラーとの組合せのものについて、図３に示すようにヘアカラーに眉の色を合わせた７種類の組合せの写真を作成し、アンケート事項リスト１に従ってアンケートを行った。更に、眉の色を変えて１枚のシートに変化前の自然色の眉と変化させた眉のものとの写真を２面並べてどちらがよいかアンケートした。変化させた眉の色は、ヘアカラーの色に合わせた。その結果、８０％以上の判定者が、眉はヘアカラーの色に合わせた方がよいと判定した。しかしながら、ヘアカラーの色が明るめの場合、眉の色を合わせると明るすぎてぼやけた印象に見えることも判明した。この場合、ヘアカラーと同じ色系の中間トーンに眉の色を合わせると良いことが判明した。つまり、眉の色はヘアカラーと同色系を選択し、更に明るいヘアカラーには、やや暗めの眉を合わせ、暗めのヘアカラーには少し明るめの眉の色で仕上げると、肌色、ヘアカラー及び眉のカラーバランスが整い、似合う組合せとすることが出来た。すなわち、ヘアカラーに対し、同系の色で中間トーンの色に眉を仕上げると、どんなヘアカラーの色でも、またアイメークでもカラーバランスがとれることが判明した。
【００２０】
次に、ヘアカラーと肌色のマッチングにおいて、似合う場合、似合わない場合のそれぞれに対し、口紅の色をプラスしてカラーバランスを検討した。口紅を付加した場合のカラーバランスの検討は、図５の結果に基づいて４色の肌色毎に似合う色とされたヘアカラーと似合わないとされたヘアカラー２色を選択し、これに１２色の口紅をそれぞれ付けた写真をＣＧ処理して作成し、アンケートを実施した。眉の色は前記アンケートによりカラーバランスがとれているとされたヘアカラーと同系色で中間トーンの色とした。アンケートは黄み系口紅を付けたものをＡグループ、青み系口紅を付けたものをＢグループとし、先ず全体的な印象としてＡ、Ｂどちらのグループの方が似合っているかを質問した。次にＡ、Ｂグループの中で最も似合っているもの上位２つ、最も似合っていないもの上位２つをそれぞれ選択させた。
【００２１】
図７は、肌色、ヘアカラー及び口紅の色のカラーバランスのアンケート結果を示す表であり、似合うカラーバランスと似合わないカラーバランスの方向性が明確に出ている。すなわち、各肌色に対して、イエロー系のヘアカラーには黄み系の口紅が似合うと判断され、レッド系のヘアカラーの場合には肌色によって異なり、色白肌には青み系の口紅が、普通肌とブロンズ肌には黄み系の口紅が似合うと判断されている。図６は、前記図７の結果に基づいて、各肌色別に最も似合うとされた口紅２色をピックアップしたものであり、これから色白肌でイエロー系のヘアカラーの場合は、黄みのペールな口紅を、レッド系のヘアカラーの場合は、青みのペールからディープな口紅を合わせ、普通肌とブロンズ肌には、ヘアカラーに関係なく黄みのペールからディープな口紅を合わせるのがよいとの関係が明らかとなった。
【００２２】
ところで、図５に×印で表示された肌色とヘアカラーの関係で１００％の判定者に似合わないと判断された、色白ピンク肌でイエローの明るめトーンのヘアカラーの組合せ及びブロンズ肌でレッドの明るめトーンのヘアカラーの組合せのものについて、口紅の色を変えたところ似合うカラーバランスになったと判断が変わった。すなわち、色白ピンク肌とイエローの明るめトーンのヘアカラーの組合せの場合には、黄みのペールな口紅を付けることにより、またブロンズ肌とレッドの明るめトーンのヘアカラーの組合せの場合には、黄みのディープな口紅を付けることにより、似合うカラーバランスに変えることが出来た。
【００２３】
以上の結果より肌色、ヘアカラー、眉の色及び口紅の色の似合う場合のカラーバランスの取り方と共に、似合わない場合でも似合う方向に変化させることが可能であり、その場合のカラーバランスを取るための方向性としては、なじませてバランスを取る場合と、際立たせてバランスを取る場合があることが理解できた。なじませてバランスを取るとは、肌色に合わせたソフトな色選びをすることであり、際立たせてバランスを取るとは、肌色にコントラストを与える色選びをすることを意味している。但し、際立ちバランスの場合には、色白肌で明るいレッド系のヘアカラー以外は、黄みの口紅で彩度・明度を押さえ、コントラストを与える色選びをするように注意する必要がある。
【００２４】
図８は、肌色、ヘアカラー及びポイントメーキャップのカラーバランスの取り方となじませバランスと際立ちバランスの関係をまとめた表であり、ヘアカラーと肌色の関係に対してマッチングする口紅が示されている。それぞれの肌色とヘアカラーのマッチングに対し、良くマッチングしているＧＯＯＤゾーンと、マッチングが悪いＮＧゾーンがあり、ＮＧゾーンはヘアカラーと肌色のタイプによって似合うと判断された口紅をマッピングすることにより、少なくすることが出来る。
【００２５】
例えば、特定の顧客Ａさんの自分に似合うポイントメーキャップを知りたいとの要望に対応して、図８に基づいて似合うポイントメーキャップを探ってみる。Ａさんは、普通肌でイエロー系のヘアカラーです。肌とヘアカラーのバランスは、ＧＯＯＤゾーンにあるが、眉の色が自然色のままであるため、少し浮いた感じになっている。そこで先ず眉の色をヘアカラーの色に合わせてみると、眉の色を変えただけでずいぶん印象が変わって見える。次になじませバランスに基づいて、黄み系のペールな口紅を選択して肌色に口紅を合わせる場合と、際立ちバランスによりコントラストを与える黄み系のディープな口紅を選択した場合の二方法のポイントメーキャップを施してみたが、いずれもＡさんによく似合うポイントメーキャップとすることが出来た。
【００２６】
次に、顧客Ｂさんは、色白黄み肌でレッド系のへアカラーであるが、日焼けをしたため今までの青み系ペールの口紅が似合わなくなった例である。図５によれば、日焼けによってＢさんの肌はブロンズ系になっているため、レッド系のヘアカラーは似合わないカラーバランスとなっている。図８によれば、ブロンズ肌とレッド系のヘアカラーの場合、黄みのペールな口紅が最も似合うとされている。また、際立たせる場合には、色白のときは青みの口紅でも似合うが、日焼けした肌には少し派手な印象となるため、際立ちバランスに従って、黄みのディープな口紅が似合うことが分かる。
【００２７】
最後に、色白ピンク肌にレッド系のヘアカラーをしたＣさんの場合、ヘアカラーを流行りのイエロー系とし、眉もヘアカラーの色を合わせてみた。すると少しぼやけた印象となったため、眉を同系のヘアカラーの中間トーンに合わせたところ、少しはっきりした印象となった。ここで、肌とヘアカラーのバランスを見ると、図５に示すように色白ピンク肌にイエロー系の明るいヘアカラーは似合わないとなっていますが、眉をヘアカラーに合わせ、口紅も図８に従って黄み系のペールを似合う色として導き出すことが出来、これによって似合うバランスとすることが出来た。
【００２８】
【発明の効果】
この発明によれば、肌色とヘアカラー及びポイントメーキャップのカラーバランスを簡単に設定することが出来、似合う色のバランスの選択が可能になると共に、口紅の色を変えることにより肌色とヘアカラーのカラーバランスを変化させ、似合わない肌色とヘアカラーのカラーバランスを似合うカラーバランスとすることが出来る。
【図面の簡単な説明】
【図１】選択された肌色の分布を示す図
【図２】ヘアカラーの分布を示す図
【図３】単一の肌色と７色のヘアカラーの組合せを表した写真
【図４】４色の肌色と単一のヘアカラーの組合せを表した写真
【図５】肌色とヘアカラーのアンケート結果に基づくカラーバランスを示す図
【図６】肌色、ヘアカラー及び似合う口紅の色の組合せを示す図
【図７】肌色とヘアカラー及び口紅の色のアンケート結果に基ずくカラーバランスを示す図
【図８】ヘアカラーと肌色のカラーバランスに対し、マッチングする口紅の色を示す図